(57)【要約】【課題】甲殻類の幼生を、高い生残率で効率良く大量飼育することができる飼育方法及び装置の提供。【解決手段】水槽周壁が毎秒０．３〜１．０ｃｍ移動する速度で上下回転動する飼育水槽中にて、甲殻類の幼生をふ化後３０日まで飼育する。ふ化後３０日経過後は当該速度を毎秒０．３〜０．５ｃｍとする。水平に設置された固定軸に、飼育水槽を上下回転動自在に取り付けた単槽式甲殻類の幼生飼育装置。【選択図】　　　図２
2004097070.tif 000002
【特許請求の範囲】
【請求項１】
水槽周壁が毎秒０．３〜１．０ｃｍ移動する速度で上下回転動する飼育水槽中にて、甲殻類の幼生をふ化後３０日まで飼育することを特徴とする甲殻類の幼生飼育方法。
【請求項２】
水槽周壁が毎秒０．３〜０．５ｃｍ移動する速度で上下回転動する飼育水槽中にて、ふ化後３０日経過後の甲殻類の幼生を飼育することを特徴とする甲殻類の幼生飼育方法。
【請求項３】
甲殻類の幼生が、最終齢のフィロゾーマであることを特徴とする請求項２記載の甲殻類の幼生飼育方法。
【請求項４】
水平に設置された固定軸に、飼育水槽を上下回転動自在に取り付けたことを特徴とする単槽式甲殻類の幼生飼育装置。
【請求項５】
固定軸が中空で、かつ当該中空部を利用して給水路及びオーバーフロー排水路が設けられていることを特徴とする請求項４記載の甲殻類の幼生飼育装置。
【請求項６】
飼育水槽が、内周壁面に角部の存在しない断面略楕円形状の槽体から成ることを特徴とする請求項４又は５記載の甲殻類の幼生飼育装置。
【請求項７】
飼育水槽が、その外周面と接触して該飼育水槽を回転せしめる駆動輪を備えていることを特徴とする請求項４〜６の何れか１項記載の甲殻類の幼生飼育装置。
【発明の詳細な説明】
【０００１】
【発明の属する技術分野】
本発明はエビやカニ等の甲殻類の幼生飼育方法及び装置に関する。
【０００２】
【従来の技術】
従来、エビやカニ等の甲殻類の幼生は、単なる固定水槽によって飼育されていたに過ぎなかった。
然しながら、甲殻類の幼生は、例えば伊勢エビのフィロゾーマを初め、一般にバクテリアに弱く、しかも殆ど遊泳力がないために、従来の飼育方によった場合には、水槽の底部に沈殿したエサの腐敗物や老廃物と接触し易い結果、生残率が極めて低いと云う問題があった。因に、沈殿物との接触を防止するために、水槽内の水をエアー攪拌することも考えられるが、甲殻類の幼生は強い水流にも弱いため、実際には採用し得ないものであった。
而して、従来は甲殻類の幼生を、効率良く大量飼育することは困難なのが実状であった。
【０００３】
【発明が解決しようとする課題】
本発明は斯かる従来の問題と実状に鑑みてなされたものであり、伊勢エビのフィロゾーマを初めとする甲殻類の幼生を、高い生残率で効率良く大量飼育することができる飼育方法及び装置を提供することを目的とする。
【０００４】
【課題を解決するための手段】
本発明者は上記目的を達成するため、種々研究を重ねた結果、水槽周壁を毎秒０．３〜１．０ｃｍで上下回転動せしめながら甲殻類の幼生をふ化後３０日まで飼育すれば、極めて優れた生残率が得られること、またふ化後３０日経過後は当該速度を毎秒０．３〜０．５ｃｍとすれば稚エビ化率が向上することを見い出し、本発明を完成した。
【０００５】
また、本発明者は上記飼育に好適な飼育装置を開発すべく鋭意検討を重ねた結果、取り扱い作業性に優れた単槽式の飼育装置を案出し、本発明を完成した。
【０００６】
すなわち、本発明は、水槽周壁が毎秒０．３〜１．０ｃｍ移動する速度で上下回転動する飼育水槽中にて、甲殻類の幼生をふ化後３０日まで飼育することにより上記目的を達成したものである。また、ふ化後３０日経過後は当該速度を０．３〜０．５ｃｍとすることにより上記目的を達成したものである。
【０００７】
また、本発明は、水平に設置された固定軸に、飼育水槽を上下回転動自在に取り付けた単槽式甲殻類の幼生飼育装置により上記目的を達成したものである。
【０００８】
【発明の実施の形態】
以下本発明の実施の形態を図面と共に説明する。
【０００９】
図１及び図２において、１０は固定軸で、適宜基枠２０等に水平に固定設置されていると共に、該固定軸１０には飼育水槽３０が上下回転動自在に取り付けられている。この飼育水槽３０の固定軸１０への具体的取り付け手段は、回転が自在で、かつ水密性が確保できるものであれば、その如何を問わない。
【００１０】
固定軸１０は中空部１１を有し、その周壁部には該中空部１１と連通する適宜数の飼育水槽３０内への給水口１２が形設されていると共に、その一端部には、該中空部１１と連通する給水ノズル１３が外側に突設され、当該給水ノズル１３、中空部１１及び給水口１２によって飼育水槽３０内部への給水路が形成されている。
【００１１】
また、固定軸１０の中空部１１内には、一端が外部に突出開口し、他端が飼育水槽３０内に突出開口するオーバーフロー排水管４０が配設されて、飼育水槽３０内の水面高さを一定に調節するオーバーフロー排水路が形成されている。
【００１２】
飼育水槽３０の形態としては円筒体、角筒体等その如何を問わない。しかしながら、内周壁面に角部が存在する場合には、当該角部にエサの腐敗物や老廃物が沈殿し易く、従ってまた当該角部において幼生が当該腐敗物や老廃物と接触して死滅し易いため、内周壁面に角部の存在しない断面略楕円形状の所謂ラグビーボール様の槽体とするのが特に有利である。因に、斯かるラグビーボール様の飼育水槽３０は、例えば円筒部３１を中央にしてその両側に半球状部３２を連結して得られる。尚、３４は当該円筒部３１の一部に形設された開口部を開閉する蓋部である。
【００１３】
５０は駆動輪で、飼育水槽３０の下部において、該飼育水槽３０の外周面と接触するように配置され、適宜手段によって伝達されるモータ（図示省略）の駆動力によって回転するものである。因に、この駆動輪５０の回転に伴なう摩擦力により飼育水槽３０が回転する。尚、駆動輪５０が接触する飼育水槽３０の外周面の具体的部位はその如何を問わないが、飼育水槽３０を前記の如く、円筒部３１の両側に半球状部３２を連結して構成する場合には、当該連結用鍔部３１ａ、３２ａに被冠した連結カバー部３３とするのが好ましい。
【００１４】
次に斯かる実施の形態に係る本発明飼育装置の作動を説明する。
まず、飼育水槽３０内に水を入れると共に、甲殻類の幼生を入れ、モータを駆動せしめて駆動輪５０を回転させる。すると、この駆動輪５０の回転に伴なう摩擦力で、該駆動輪５０が接触している飼育水槽３０が上下に回転動し、底部となる飼育水槽３０の周壁が定置することなく回転移動し、飼育水槽３０内に水流が発生する。ここに回転速度は、後記試験例から明らかな如く、ふ化後３０日までは、水槽周壁が毎秒０．３〜１．０ｃｍ、特に０．５〜１．０ｃｍ移動する速度とするのが特に良い結果が得られる。また、ふ化後３０日経過後、特に最終齢のフィロゾーマからは、水槽周壁が毎秒０．３〜０．５ｃｍ移動する速度とするのが有利である。
【００１５】
試験例１
水槽周壁が毎秒０（回転せず），０．３，０．５，１．０，１．５ｃｍ移動する速度でそれぞれ上下回転する飼育水槽中にて、伊勢エビのふ化直後のフィロゾーマを各３００尾ずつ常法に従い飼育し、３０日目における生残数を確認し、それぞれ生残率を求めた。その結果は表１の通りであった。
【００１６】
【表１】
2004097070.tif 000003
【００１７】
試験例２
最終齢のフィロゾーマを各２０尾ずつ試験例１と同様の速度で上下回転する飼育水槽中にてそれぞれ飼育し、稚エビに成長した数を確認し、それぞれ稚エビ化率を求めた。その結果は表２の通りであった。
【００１８】
【表２】
2004097070.tif 000004
【００１９】
【発明の効果】
本発明によれば、飼育水槽が回転しているため、底部に沈殿物が生成することがないと共に、当該回転に伴なって生じた水流により甲殻類の幼生も上方に浮遊するため、従来の如く、底部で沈殿物と接触することがない結果、バクテリアによる死亡率が著しく軽減される。
しかも、甲殻類の幼生が、発生した水流により上方に浮遊しているため、給餌時エサとの接触が底部ではなく上方の水中で可能となるため、新鮮なエサの摂取により、生残率が更に向上する。
以上従って、本発明によれば甲殻類の幼生を、高い生残率で効率良く大量飼育することができる。
【図面の簡単な説明】
【図１】本発明飼育装置の概略正面説明図。
【図２】本発明飼育装置の概略断面説明図。
【符号の説明】
１０：固定軸
１１：中空部
１２：給水口
１３：給水ノズル
２０：基枠
３０：飼育水槽
３１：円筒部
３１ａ：連結用鍔部
３２：半球状部
３２ａ：連結用鍔部
３３：連結カバー部
３４：蓋部
４０：オーバーフロー排水管
５０：駆動輪
【図１】
2004097070.tif 000005
【図２】
2004097070.tif 000006